(57)【要約】【課題】溜水部に後方から流入する水流を用いて汚物を排出するうえで、汚物排出能力の向上を図れる技術を提供する。【解決手段】汚物受け面８０及び溜水部８４を有する便鉢部１６と、便鉢部１６の底部に接続される便器排水路１８と、便鉢部１６内に周方向の一方側に向けて第１吐水孔７８Ａから洗浄水を吐き出すことによって、便鉢部１６の左右一方側の第１側方領域１６ａを後方に向かう第１旋回流Ｆｗａを形成する第１吐水部９０Ａと、を備え、溜水部８４は、溜水部８４の左右他方側に設けられる立壁面８４ｃに接触しつつ溜水部８４に後方から流入する水流によって、便器排水路１８に汚物を押し込む誘導流Ｆｗｆを形成するように構成され、便鉢部１６は、溜水部８４の前端８４ｈより後方で第１側方領域１６ａにおいて便鉢部１６の内周面に形成され、自らと衝突した第１旋回流Ｆｗａを後方に誘導可能な誘導面９８を有する。【選択図】図１１
2019190219.tif 000002
【特許請求の範囲】
【請求項１】
便器本体を備える水洗大便器であって、
前記便器本体は、
鉢状の汚物受け面、及び、前記汚物受け面の下端縁から下方に窪む溜水部を有する便鉢部と、
前記便鉢部の底部に接続される便器排水路と、
前記便鉢部内に周方向の一方側に向けて第１吐水孔から洗浄水を吐き出すことによって、前記便鉢部の左右一方側の第１側方領域を後方に向かう第１旋回流を形成する第１吐水部と、を備え、
前記溜水部は、前記溜水部の左右他方側に設けられる立壁面に接触しつつ前記溜水部に後方から流入する水流によって、前記便器排水路に汚物を押し込む誘導流を形成するように構成され、
前記便鉢部は、前記溜水部の前端より後方で前記第１側方領域において前記便鉢部の内周面に形成され、自らと衝突した前記第１旋回流を後方に誘導可能な誘導面を有する水洗大便器。
【請求項２】
前記第１側方領域の後部に形成される第２吐水孔を有し、前記便鉢部内に前記周方向の一方側に向けて前記第２吐水孔から洗浄水を吐き出す第２吐水部を備え、
前記第２吐水部は、前記第２吐水孔から吐き出された洗浄水によって、前記誘導面により誘導された前記第１旋回流と合流する第１水流を形成し、
前記第１水流は、前記第１旋回流と合流することによって、前記溜水部内に後方から流入する主流を形成する請求項１に記載の水洗大便器。
【請求項３】
前記第２吐水部は、前記第２吐水孔から吐き出された洗浄水によって、前記溜水部より後方にて前記汚物受け面を経由して前記便鉢部の左右他方側の第２側方領域を前方に向かう第２旋回流を形成する請求項２に記載の水洗大便器。
【請求項４】
前記便鉢部は、前記第１吐水孔から吐き出された洗浄水を旋回させるように導くための導水路を有し、
前記導水路は、前記便鉢部の径方向外側に延びる凹曲面状の底面と、前記底面の外周端から上方に延びる凹曲面状の側面と、前記側面の上端から前記径方向内側に延びる返し面と、を有し、
前記返し面は、水平に延びる平坦面を有する請求項１から３のいずれかに記載の水洗大便器。
【発明の詳細な説明】
【技術分野】
【０００１】
本発明は、水洗大便器に関する。
【背景技術】
【０００２】
従来より、汚物を排出するための洗浄方式に関して種々の検討がなされている。特許文献１には、便鉢部の左右片側の側方領域を後方に向かう旋回流を形成し、その旋回流の一部を便鉢部の溜水部に後方から流入させることで、便器排水路に汚物を押し込むための誘導流を形成できる水洗大便器が開示されている。
【先行技術文献】
【特許文献】
【０００３】
【特許文献１】特開２０１６−８９４３１号公報
【発明の概要】
【発明が解決しようとする課題】
【０００４】
便鉢部の溜水部に後方から水流を流入させることで、便器排水路に汚物を押し込む誘導流を形成する場合を考える。この場合、良好な汚物排出能力を得るうえで、その旋回流の溜水部の後方からの流入量を増大できるとよい。本発明者は、このような観点のもと、汚物排出能力の向上を図るうえで、新たな方策があるとの知見を得た。
【０００５】
本発明のある態様は、このような課題に鑑みてなされ、その目的の１つは、溜水部に後方から流入する水流を用いて汚物を排出するうえで、汚物排出能力の向上を図れる技術を提供することにある。
【課題を解決するための手段】
【０００６】
前述の課題を解決するための本発明の第１態様は水洗大便器である。第１態様の水洗大便器は、便器本体を備える水洗大便器であって、前記便器本体は、鉢状の汚物受け面、及び、前記汚物受け面の下端縁から下方に窪む溜水部を有する便鉢部と、前記便鉢部の底部に接続される便器排水路と、前記便鉢部内に周方向の一方側に向けて第１吐水孔から洗浄水を吐き出すことによって、前記便鉢部の左右一方側の第１側方領域を後方に向かう第１旋回流を形成する第１吐水部と、を有し、前記溜水部は、前記溜水部の左右他方側に設けられる立壁面に接触しつつ前記溜水部に後方から流入する水流によって、前記便器排水路に汚物を押し込む誘導流を形成するように構成され、前記便鉢部は、前記溜水部の前端より後方で前記第１側方領域において前記便鉢部の内周面に形成され、自らと衝突した前記第１旋回流を後方に誘導可能な誘導面を有する。
【０００７】
第１態様によれば、誘導面との衝突により第１旋回流を減速させられる。これに伴い、溜水部に後方から流入せずに溜水部より後方にて汚物受け面を経由する水流の流量を減らし、溜水部の立壁面に接触しつつ溜水部に後方から流入する水流の流量を増やせる。このため、便器排水路に汚物を押し込む誘導流の流量を増やすことができ、汚物排出能力の向上を図れる。
【図面の簡単な説明】
【０００８】
【図１】第１実施形態の水洗大便器の側面断面図である。
【図２】図１のＡ−Ａ線断面図である。
【図３】図１の拡大図である。
【図４】図１のＢ−Ｂ線断面図である。
【図５】参考例の便器本体の一部を示す側面断面図である。
【図６】参考例の便器本体での物体の流れ方を示す図である。
【図７】第１実施形態の便器本体での物体の流れ方を示す図である。
【図８】第１実施形態の水洗大便器の構成図である。
【図９】図１のＣ−Ｃ線断面図である。
【図１０】第１段階での洗浄水の流れ方を示す図である。
【図１１】第２段階での洗浄水の流れ方を示す図である。
【図１２】第２段階での洗浄水の流れ方を示す他の図である。
【図１３】図１の第１導水路の拡大図である。
【図１４】図１３の第１導水路に洗浄水が流れている状態を示す図である。
【図１５】第１実施形態の便器本体の便器素地を分解した状態を示す側面断面図である。
【図１６】第１実施形態の便鉢側部分の便器素地の成形途中の状態を示す側面断面図である。
【発明を実施するための形態】
【０００９】
以下、実施形態、変形例では、同一の構成要素に同一の符号を付し、重複する説明を省略する。各図面では、説明の便宜のため、構成要素の一部を適宜省略したり、構成要素の寸法を適宜拡大、縮小して示す。図面は符号の向きに合わせて見るものとする。
【００１０】
（第１の実施の形態）
まず、第１実施形態の水洗大便器１０の第１の工夫点を説明する。図１は、第１実施形態の水洗大便器１０の側面断面図である。水洗大便器１０は、便器本体１２を備える。本実施形態の便器本体１２は陶器を素材とするが、樹脂等を素材としてもよい。本実施形態の便器本体１２は洋風大便器である。本実施形態の便器本体１２は、トイレ室に設けられる側壁部１４に掛けられる壁掛け式である。
【００１１】
以下、水洗大便器１０の構成要素の位置関係に関して、互いに直交する三つの方向を用いて説明する。この方向とは、便器本体１２の前後方向Ｘ、左右方向Ｙ及び上下方向Ｚである。前後方向Ｘ、左右方向Ｙは水平方向であり、便器本体１２に取り付けられる便座（不図示）に通常の姿勢で座る着座者の前後左右と対応する。上下方向Ｚは鉛直方向である。
【００１２】
便器本体１２は、便鉢部１６と、便鉢部１６の底部に接続される便器排水路１８と、を備える。本実施形態において、便鉢部１６と便器排水路１８との間には中空空間２０が形成される。
【００１３】
便器排水路１８は、便鉢部１６内から下水側水路（不図示）に排出される汚物や水の通り道となる。本実施形態の便器排水路１８はトラップ部２２が構成する。便器排水路１８は、上流側から下流側にかけて順に、第１下降流路部２４と、上昇流路部２６と、第２下降流路部２８と、出口端部３０と、を有する。
【００１４】
第１下降流路部２４は、便鉢部１６の底部に連なり、下流側に向かうにつれて下降するとともに後方に延びるように形成される。上昇流路部２６は、第１下降流路部２４の下流端部に連なり、下流側に向かうにつれて上昇するとともに後方に延びるように形成される。第２下降流路部２８は、上昇流路部２６の下流端部に連なり、下流側に向かうにつれて下降するとともに後方に延びるように形成される。出口端部３０は、筒状をなしており、便器本体１２の後面部１２ａに後方に突き出るように設けられる。出口端部３０には、トイレ室の側壁部１４から引き出される排水管３２が接続され、便器排水路１８は排水管３２を介して下水側水路に接続される。
【００１５】
便鉢部１６や便器排水路１８内には封水３４が貯留される。封水３４は、便器排水路１８の第１下降流路部２４や上昇流路部２６が構成する封水貯留部３６の内部に貯留される。封水３４は、便器排水路１８内の流体の流れ方向での空気の流れを遮断する。
【００１６】
便器排水路１８は、封水３４の水位を定めるための溢れ縁３８を有する。詳しくは、溢れ縁３８は、静止した状態にある封水３４の最高水位を定めるためのものである。便器排水路１８内に溢れ縁３８を超える水が入り込んだとき、便器排水路１８内の水は溢れ縁３８より下流側に溢れ出ることで下水側水路に排出される。この結果、便器排水路１８内に残る水、つまり、静止した状態にある封水３４の最高水位が定められる。溢れ縁３８は、上昇流路部２６の内下面の上端縁により構成される。
【００１７】
図２は、図１のＡ−Ａ線断面図である。図１、図２に示すように、便器排水路１８は、便器排水路１８を形成する便器本体１２の外壁部を貫通する掃除口４０を有する。掃除口４０は、便器排水路１８内に詰まった異物等の物体の取り出しのような、便器排水路１８内の掃除に用いられる。ここでの「物体」には、通常の使用時に便器排水路１８を流れることが想定される汚物の他に、そのように便器排水路１８を流れることが想定されない異物が含まれる。ここでの「汚物」には、たとえば、排泄物、トイレットペーパー等が含まれる。ここでの「異物」には、たとえば、おむつ、携帯電話等が含まれる。
【００１８】
掃除口４０は、蓋体４２（図１では不図示）により開閉可能である。蓋体４２は、便器本体１２の外壁部の表側から掃除口４０を閉じる蓋本体４４と、その外壁部の裏側に配置される裏当て部材４６と、蓋本体４４と裏当て部材４６を共締めするねじ部材４８と、を有する。蓋本体４４と裏当て部材４６は、ねじ部材４８により共締めされることで、便器本体１２の掃除口４０の周縁部を挟持した状態で便器本体１２に固定される。裏当て部材４６は板状をなす。裏当て部材４６は、便器排水路１８の内面に掃除口４０を跨いで自らの両端部を当てられる縦幅寸法を持つとともに、掃除口４０から出し入れ可能な横幅寸法を持つ。蓋本体４４と裏当て部材４６は、ねじ部材４８を緩めることで、便器本体１２から分離できる。
【００１９】
便器本体１２の外面には掃除口４０の周縁部に被シール面５０が設けられる。蓋本体４４と便器本体１２の被シール面５０との間にはシール部材５２が配置される。シール部材５２はゴム等の弾性体である。被シール面５０は環状の平坦面であり、シール部材５２は被シール面５０に接触する。蓋本体４４と便器本体１２の被シール面５０との間はシール部材５２によりシールされ、便器排水路１８内からの漏水がシール部材５２により規制される。
【００２０】
図３は、図１の拡大図である。便器排水路１８の上昇流路部２６の内上面には、上昇流路部２６内を通る物体を案内するための第１ガイド面５４が設けられる。第１ガイド面５４は、上昇流路部２６内を上昇する物体との接触を伴い、その物体を後方向に案内する。本実施形態の第１ガイド面５４は、前述の中空空間２０と便器排水路１８の内部空間とを隔てる第１隔壁部５６に設けられる。第１ガイド面５４は、溢れ縁３８より上方まで延びる延び部分５４ａを有する。
【００２１】
便器本体１２は、便器本体１２の側面断面視において、溢れ縁３８より上方に設けられる第２隔壁部５８を有する。ここでの「側面断面視」とは、図３に示すように、便器本体１２の左右方向Ｙに直交する断面を左右方向Ｙに視ることをいう。第２隔壁部５８は、便器排水路１８の上側に設けられる第１空間６０と、便器排水路１８の内部空間とを隔てている。この第１空間６０とは、便器排水路１８の出口端部３０の周囲に設けられる第２空間６２とは別の空間であり、本実施形態では共通通水路９４（後述する）の内側の空間が該当する。
【００２２】
便器排水路１８の内上面には、便器排水路１８内で溢れ縁３８の上方を通る物体を案内するための第２ガイド面６４が設けられる。第２ガイド面６４は、溢れ縁３８の上方を通る物体との接触を伴い、その物体を後方向に案内する。第２ガイド面６４は、便器本体１２の側面断面視において、溢れ縁３８より上方に設けられる。本実施形態の第２ガイド面６４は前述の第２隔壁部５８に設けられる。
【００２３】
掃除口４０は、便器本体１２の側面断面視において、第１ガイド面５４の延び部分５４ａと前後方向Ｘに重なる位置で延び部分５４ａより後方に設けられる。掃除口４０は、第１ガイド面５４の延び部分５４ａの少なくとも一部と上下方向Ｚにおいて同じ位置にある。本実施形態において、掃除口４０の中心４０ａは、第１ガイド面５４の延び部分５４ａと上下方向Ｚにおいて同じ位置にある。
【００２４】
掃除口４０は、便器本体１２の側面断面視において、第２ガイド面６４と上下方向に重なる位置で第２ガイド面６４より下方に設けられる。掃除口４０は、第２ガイド面６４の少なくとも一部と前後方向Ｘにおいて同じ位置にある。
【００２５】
本実施形態の掃除口４０の中心４０ａは、溢れ縁３８より上方に設けられる。別の観点からみると、掃除口４０の中心４０ａは、側面断面視において、上昇流路部２６と第２下降流路部２８の間で前後方向Ｘに沿って連続する空間と重なる箇所に設けられるともいえる。
【００２６】
図４は、図１のＢ−Ｂ線断面図である。本図は、上昇流路部２６内での流体の流れ方向Ｐａに直交する上昇流路部２６の流路断面を示す図でもある。この流れ方向Ｐａは、上昇流路部２６の中心軸線Ｌａ（図１参照）に沿った方向でもある。この上昇流路部２６の流路断面の内面に内接する最小径の内接円をＣｉとし、その内接円Ｃｉの直径をＲｄ［ｍｍ］とする。この内接円Ｃｉとは、上昇流路部２６の下流端部から上流端部までの範囲において、上昇流路部２６の流路断面において最小径となる内接円Ｃｉをいう。
【００２７】
このとき、図３に示すように、溢れ縁３８から第２ガイド面６４までの上下方向Ｚ（鉛直方向）に沿った上下寸法Ｌｂは、前述の内接円Ｃｉの直径Ｒｄに対して０．９倍以上１．２倍以下の大きさに設定される。この条件は、本発明者による実験的な検討に基づき導き出したものである。
【００２８】
溢れ縁３８から上方にＬｂ／２だけ離れた位置を基準位置Ｐｒという。このとき、第１ガイド面５４の延び部分５４ａは、便器本体１２の側面断面視において、基準位置Ｐｒより上方に延びている。また、掃除口４０の全体は、便器本体１２の側面断面視において、第１隔壁部５６の後端５６ａより後方に設けられる。また、掃除口４０の中心４０ａは、便器本体１２の側面断面視において、溢れ縁３８より前方に設けられる。
【００２９】
図２に示すように、便器排水路１８の第２ガイド面６４は、本実施形態において、前後方向Ｘに直交する断面において、下向きに凸となる凸曲面状をなす。掃除口４０は第２ガイド面６４の下端６４ａより下方に設けられ、被シール面５０は第２ガイド面６４の一部と左右方向Ｙに重なる位置に設けられる。
【００３０】
次に、参考例の便器本体１２を用いて、本実施形態の便器本体１２が解決しようとする課題を説明する。図５は、参考例の便器本体１２の一部を示す側面断面図である。参考例の便器本体１２は、実施形態の便器本体１２と同様、便器本体１２の後面部に後方に突き出るように便器排水路１８の出口端部３０が設けられる。参考例の掃除口４０は、便器本体１２の側面断面視において、第１ガイド面５４と前後方向Ｘに重なる位置には設けられておらず、第１ガイド面５４と上下方向Ｚに重なる位置で第１ガイド面５４より上方に設けられる。
【００３１】
壁掛け式の便器本体１２は、通常、床置き式の便器本体と比べて、便器本体１２の前後方向Ｘでの寸法が小さくなる。これは、便器本体１２の後部への貯水タンクの設置が不要であることに起因する。これに伴い、壁掛け式の便器本体１２は、通常、参考例の便器本体１２から、第１ガイド面５４を形成する第１隔壁部５６（図５の二点鎖線の部位）を省いた構造になることが多い。
【００３２】
しかしながら、このように便器本体１２の第１隔壁部５６を省いてしまうと、便器排水路１８内を物体が通り難くなる。よって、この対策として、参考例のように、便器本体１２に第１隔壁部５６を設けたうえで第１ガイド面５４を形成する方策が考えられる。
【００３３】
このように便器本体１２の第１ガイド面５４を形成するうえで、参考例のような位置に掃除口４０を設けると、便器排水路１８の第１ガイド面５４を形成する第１隔壁部５６の上方にて、前方に向けて広がるような無駄な空間６６が形成されてしまう。特に、便器本体１２の外面で掃除口４０の周縁部には被シール面５０を設ける必要がある。被シール面５０の裏側には便器素地（後述する）を成形するための型を配置できない。この関係から、便器排水路１８の内部には被シール面５０の裏側に余計な空間を確保せざるを得ない。これに伴い、参考例の構造のもとでは、前述の無駄な空間６６が一層広くなってしまう。
【００３４】
このような空間６６が形成されてしまうと、次の問題が生じ得る。図６は、参考例の便器本体１２の問題点を説明するための図である。便器本体１２の便器排水路１８内を圧縮された物体Ｆｍが通ろうとする場合を考える。ここでは、このような物体Ｆｍとして、汚物の一例となるトイレットペーパーを想定している。
【００３５】
この場合、便器排水路１８内で上昇流路部２６を通り過ぎたところで、圧縮された物体Ｆｍは、前述の空間６６で圧縮された状態から復元するように広がろうとする。このように広がった状態の物体Ｆｍは、洗浄水の水頭圧Ｆｗにより便器排水路１８の出口端部３０側となる後方に向けて押し流される。この結果、前述の空間６６と前後方向Ｘに重なる位置で後方に設けられる壁部６８に物体が引っ掛かってしまい、物体の詰まりが生じ易くなる。この水頭圧Ｆｗは、便鉢部１６内に一時的に溜められた洗浄水の水位と、物体Ｆｍに対して水頭圧Ｆｗが作用する箇所との間での高低差に起因して生じる。このような問題は、通常の使用時に用いられるトイレットペーパーを流したときに生じるため、その対策が強く求められる。
【００３６】
図７は、本実施形態の便器本体１２での物体Ｆｍの流れ方を示す図である。本実施形態によれば、掃除口４０は、便器本体１２の側面断面視において、第１ガイド面５４の延び部分５４ａと前後方向Ｘに重なる位置で延び部分５４ａより後方に設けられる。よって、参考例の構造のように、便器排水路１８の第１ガイド面５４を形成する第１隔壁部５６の上方で、便器排水路１８の内部に余計な空間６６を形成せずともよくなる。これにより、便器排水路１８内を物体Ｆｍが通る過程で、圧縮された物体Ｆｍが広がり難くなり、その物体Ｆｍの詰まりを抑制し易くなる。
【００３７】
また、図５に示すように、参考例の掃除口４０は、便器排水路１８内で溢れ縁３８の上方を通る物体を案内するための第２ガイド面６４と前後方向Ｘに重なる位置で第２ガイド面６４より前方に設けられる。このような構造のもとでは、便器排水路１８の第２ガイド面６４を形成する壁部７０の前方にて、上方に向けて広がるような無駄な空間７２が形成されてしまう。
【００３８】
これに対して、本実施形態によれば、掃除口４０は、便器本体１２の側面断面視において、第２ガイド面６４と上下方向Ｚに重なる位置で第２ガイド面６４より下方に設けられる。よって、参考例の構造のように、便器排水路１８の第２ガイド面６４を形成する第２隔壁部５８の前方に余計な空間７２を形成せずともよくなる。これにより、便器排水路１８内を物体Ｆｍが通る過程で、圧縮された物体Ｆｍが広がり難くなり、その物体Ｆｍの詰まりを抑制し易くなる。
【００３９】
図３に示すように、溢れ縁３８から第２ガイド面６４までの上下寸法Ｌｂは、上昇流路部２６の内接円の直径Ｒｄに対して０．９倍以上１．２倍以下の大きさに設定される。この上下寸法Ｌｂが直径Ｒｄに対して１．２倍超になると、溢れ縁３８と第２ガイド面６４の間の空間が過度に広くなってしまう。これに伴い、溢れ縁３８と第２ガイド面６４の間の空間で圧縮された物体Ｆｍが大きく広がってしまい、その第２ガイド面６４の後方の壁部７４との接触により物体Ｆｍが詰まり易くなる。一方、この上下寸法Ｌｂが直径Ｒｄに対して０．９倍未満になると、溢れ縁３８と第２ガイド面６４の間の空間が過度に狭くなり、第２ガイド面６４と溢れ縁３８の間で物体Ｆｍが詰まり易くなる。この点、本実施形態によれば、これら問題の生じる事態を避けることができ、物体Ｆｍの詰まりを抑制し易くなる。
【００４０】
図７に示すように、便器排水路１８は第２下降流路部２８を有する。このような構造のもとでは、第２下降流路部２８の内上面には後方に向かって下向きに延びる斜面２８ａが設けられる。溢れ縁３８の上方を通る物体Ｆｍは、洗浄水の水頭圧Ｆｗにより、第２下降流路部２８の斜面２８ａに当たりつつ下方かつ後方に誘導され、便器排水路１８の出口端部３０に導かれる。この結果、物体Ｆｍの詰まりを抑制し易くなる。
【００４１】
なお、下水側水路から便器排水路１８に汚水が逆流しようとしたとき、第２下降流路部２８の内下面により汚水を堰き止めることができ、封水３４に汚水が混入してしまう事態を避けられる。
【００４２】
次に、水洗大便器１０の第２の工夫点を説明する。図８は、水洗大便器１０の構成図である。水洗大便器１０は、洗浄水供給装置７６を更に備える。洗浄水供給装置７６は、フラッシュバルブ、貯水タンク等を用いて構成される。
【００４３】
図９は、図１のＣ−Ｃ線断面図である。図１、図９に示すように、便器本体１２は、便鉢部１６、便器排水路１８の他に、便鉢部１６内に洗浄水を吐き出すための吐水部７８Ａ、７８Ｂを備える。
【００４４】
便鉢部１６は、汚物を受けるための鉢状の汚物受け面８０と、便鉢部１６の上端部を形成するリム部８２と、汚物受け面８０の下端縁から下方に窪む溜水部８４と、を備える。汚物受け面８０は、平面視での曲率半径が前端８０ａにおいて最小となる形状である。リム部８２の内周面の上部には内側に向けて突き出るオーバーハング部８６が設けられる。
【００４５】
溜水部８４は、便鉢部１６の底部を形成するとともに有底状をなす。溜水部８４は、底壁面８４ａと、底壁面８４ａから立ち上がる複数の立壁面８４ｂ〜８４ｄと、を有する。底壁面８４ａの後部には便器排水路１８の入口１８ａが開口する。溜水部８４には前述の封水３４の一部が溜水８８として溜められる。
【００４６】
立壁面８４ｂ〜８４ｄには、溜水部８４の左右一方側となる左側（図９の紙面では右側）に設けられる左側立壁面８４ｂ（第１立壁面）と、溜水部８４の左右他方側となる右側（図９の紙面では左側）に設けられる右側立壁面８４ｃ（第２立壁部）とが含まれる。また、立壁面８４ｂ〜８４ｄには、溜水部８４の後側に設けられる後側立壁面８４ｄが含まれる。左側立壁面８４ｂと右側立壁面８４ｃは、後述する誘導流Ｆｗｆ（図１１参照）を形成するため、前方に向かうにつれて先細りする形状であり、その前端部が第１凹曲面８４ｅを介して滑らかに連なっている。本実施形態の左側立壁面８４ｂは、第２凹曲面８４ｆを介して後側立壁面８４ｄに滑らかに連なっている。本実施形態の右側立壁面８４ｃも、第３凹曲面８４ｇを介して後側立壁面８４ｄに滑らかに連なっている。
【００４７】
便鉢部１６は、左右一方側となる左側の左側方領域１６ａ（第１側方領域）と、左右他方側（本図では左側）の右側方領域１６ｂ（第２側方領域）とを有する。左側方領域１６ａは、便鉢部１６の左右中心線Ｌｃに対して左右一方側に配置される領域であり、右側方領域１６ｂは、その左右中心線Ｌｃに対して左右他方側に配置される領域である。左右中心線Ｌｃとは、便鉢部１６の内面部分の左右方向Ｙに沿った寸法を二等分し、前後方向Ｘに沿って延びる直線をいう。
【００４８】
吐水部７８Ａ、７８Ｂには、便鉢部１６の右側方領域１６ｂに形成される第１吐水孔９０Ａを有する第１吐水部７８Ａと、便鉢部１６の左側方領域１６ａに形成される第２吐水孔９０Ｂを有する第２吐水部７８Ｂとが含まれる。本実施形態の第１吐水孔９０Ａは、平面視において、溜水部８４と左右方向Ｙに重なる位置に設けられる。本実施形態の第１吐水孔９０Ａは、溜水部８４より左右他方側となる右側に形成され、本実施形態の第２吐水孔９０Ｂは、溜水部８４より左右一方側となる左側に形成される。
【００４９】
第１吐水孔９０Ａは前方に向けて開放しており、便鉢部１６内に周方向の一方側（図９の紙面では反時計回り方向。以下、単に反時計回り方向ともいう）に向けて洗浄水を吐き出す。第１吐水孔９０Ａは、このように洗浄水を吐き出すことによって、便鉢部１６の右側方領域１６ｂを後方に向かう後述の第１旋回流Ｆｗａ（図１１参照）を形成する。第２吐水孔９０Ｂは、左右他方側となる右側に向けて開放しており、便鉢部１６内に反時計回り方向に向けて洗浄水を吐き出す。
【００５０】
第１吐水部７８Ａは、第１吐水孔９０Ａに洗浄水を供給するための第１通水路９２Ａを有し、第２吐水部７８Ｂは、第２吐水孔９０Ｂに洗浄水を供給するための第２通水路９２Ｂを有する。第１通水路９２Ａや第２通水路９２Ｂには、洗浄水供給装置７６の一部となる給水管７６ａから共通通水路９４を通して洗浄水が供給される。第１通水路９２Ａや第２通水路９２Ｂは共通通水路９４の下流端部から左右に分岐している。
【００５１】
第１通水路９２Ａは、始端側となる共通通水路９４の下流端部から反時計回り方向に延びるように形成される。第１通水路９２Ａの終端部には第１吐水孔９０Ａが形成される。
【００５２】
第２通水路９２Ｂは、始端側となる共通通水路９４の下流端部から周方向の他方側（図９の紙面では時計回り方向。以下、単に時計回り方向ともいう）に延びるように形成される。第２通水路９２Ｂの終端部には折り返し部分９２Ｂａが形成され、その折り返し部分９２Ｂａの先端部に第２吐水孔９０Ｂが形成される。
【００５３】
便鉢部１６は、吐水孔９０Ａ、９０Ｂから吐き出された洗浄水を旋回させるように導くための導水路９６Ａ、９６Ｂを有する。導水路９６Ａ、９６Ｂには、第１吐水孔９０Ａに対応する第１導水路９６Ａと、第２吐水孔９０Ｂに対応する第２導水路９６Ｂが含まれる。導水路９６Ａ、９６Ｂは、便鉢部１６の汚物受け面８０の一部及びリム部８２が構成しており、対応する吐水孔９０Ａ、９０Ｂから反時計回り方向に延びるように形成される。
【００５４】
便鉢部１６は、溜水部８４の前端８４ｈより後方で右側方領域１６ｂにおいて便鉢部１６の内周面に形成される誘導面９８を有する。第１吐水孔９０Ａから誘導面９８までの便鉢部１６の内周面部分のうち、誘導面９８と隣接する部分を隣接部分１００という。誘導面９８は、便鉢部１６の隣接部分１００に対して径方向外側に凹となる屈曲部１０２を介して連なっている。本実施形態において、平面視において、便鉢部１６の隣接部分１００は凹曲面が構成するのに対して、誘導面９８は平坦面が構成している。これにより、誘導面９８は、第１吐水孔９０Ａから吐き出される洗浄水により形成される第１旋回流Ｆｗａ（図１１参照）が衝突可能に設けられる。誘導面９８は、このように自らと衝突した第１旋回流Ｆｗａを後方に誘導可能である。
【００５５】
以上の水洗大便器１０による洗浄方法を説明する。本実施形態の水洗大便器１０は、水の落差を用いて汚物を押し流す洗い流し式の洗浄方式によって汚物を排出する。洗浄水供給装置７６は、所定の洗浄開始条件を満たすと、所定の水量の洗浄水を通水路９２Ａ、９２Ｂ、９４に供給する供給動作を行う。洗浄開始条件は、たとえば、レバー等の操作部材、または、リモートコントローラ、スマートフォン等の電気機器に対する操作を通じて洗浄水供給装置７６が洗浄開始指令を受けることである。
【００５６】
図１０は、第１段階での洗浄水の流れ方を示す図である。ここでの第１段階とは、便鉢部１６内に洗浄水が流れ始めた段階をいう。本図では、洗浄水の流れ方向に矢印を付して示す。
【００５７】
洗浄水は、洗浄水供給装置７６から通水路９２Ａ、９２Ｂ、９４に供給され、その通水路９２Ａ、９２Ｂ、９４から各吐水孔９０Ａ、９０Ｂに供給され、各吐水孔９０Ａ、９０Ｂから吐き出される。第１吐水孔９０Ａから吐き出された洗浄水は、汚物受け面８０の前端８０ａを経由して左側方領域１６ａを後方に向かう第１旋回流Ｆｗａを形成する。第１旋回流Ｆｗａは主流として形成される。本明細書での「主流」とは、洗浄水の一部が部分的に集まった状態で流れるすじ状の流れのことをいう。第１旋回流Ｆｗａは誘導面９８と衝突し、その勢いを弱めた状態で誘導面９８により後方に向けて誘導される。図１０では第１旋回流Ｆｗａが次に説明する第１水流Ｆｗｂと合流する直前の状態を示す。
【００５８】
第２吐水部７８Ｂには折り返し部分９２Ｂａが設けられ、その折り返し部分９２Ｂａを通して乱れた流れは、十分に整えられる前に第２吐水孔９０Ｂから広角な範囲に吐き出される。これにより、第２吐水孔９０Ｂから吐き出された洗浄水は、溜水部８４に後方から流入する第１水流Ｆｗｂと、溜水部８４より後方にて汚物受け面８０を経由して便鉢部１６の右側方領域１６ｂを前方に向かう第２旋回流Ｆｗｃを形成する。第１水流Ｆｗｂや第２旋回流Ｆｗｃは主流として形成される。第２吐水部７８Ｂは、第２吐水孔９０Ｂから洗浄水を吐き出すことによって、このような第１水流Ｆｗｂと第２旋回流Ｆｗｃを形成するように構成されることになる。
【００５９】
第１水流Ｆｗｂは、汚物受け面８０から溜水部８４に落ち込むように溜水部８４内に後方から流入する。第１水流Ｆｗｂは、溜水部８４の後側立壁面８４ｄに接触しつつ落ち込み、便器排水路１８の入口１８ａに向けて流れ込む。
【００６０】
第１旋回流Ｆｗａや第２旋回流Ｆｗｃを形成する洗浄水は、汚物受け面８０から溜水部８４側に向けて徐々に流れ落ちることで、汚物受け面８０から溜水部８４に向かう水流Ｆｗｄを形成する。
【００６１】
図１１は、第２段階での洗浄水の流れ方を示す図である。ここでの第２段階とは、第１段階より時間が経過した後の段階をいう。第１旋回流Ｆｗａ、第２旋回流Ｆｗｃの流れ方は第１段階と同様である。
【００６２】
第２段階では、誘導面９８により後方に誘導された第１旋回流Ｆｗａと、第２吐水孔９０Ｂから吐き出される洗浄水が形成する第１水流Ｆｗｂとが合流して主流Ｆｗｅを形成する。第２吐水部７８Ｂは、第２吐水孔９０Ｂから吐き出された洗浄水によって、第１旋回流Ｆｗａと合流する第１水流Ｆｗｂを形成するように構成されるとも捉えられる。第１旋回流Ｆｗａは第１水流Ｆｗｂの流れ方向の側方から第１水流Ｆｗｂと合流する。これにより、第１旋回流Ｆｗａと第１水流Ｆｗｂが合流して形成される主流Ｆｗｅは、第１水流Ｆｗｂが流れていた箇所より第２旋回流Ｆｗｃ寄りの箇所に形成される。主流Ｆｗｅは、溜水部８４の右側立壁面８４ｃに接触しつつ落ち込むように溜水部８４内に後方から流入する。この主流Ｆｗｅは、便器本体１２の汚物受け面８０に形成される流れのなかで最も流量の多い流れとなる。この主流Ｆｗｅは、汚物受け面８０から溜水部８４に流入する水流のなかで最も流量が多い流れでもある。
【００６３】
図１２は、第２段階での洗浄水の流れ方を示す他の図である。図１１、図１２に示すように、溜水部８４内に後方から流入する主流Ｆｗｅは、溜水部８４の右側立壁面８４ｃに接触しつつ下向きに流れる。この主流Ｆｗｅは、溜水部８４の底壁面８４ａや左側立壁面８４ｂに衝突することで上方かつ後方に向きを変えた後、溜水部８４内で上昇したうえで自重により下降する縦旋回流となる誘導流Ｆｗｆを形成する。この誘導流Ｆｗｆは、溜水部８４内で後方に向けて上昇してから下降することで、便器排水路１８の入口１８ａに汚物を押し込むような流れとなる。このように溜水部８４の右側立壁面８４ｃ、左側立壁面８４ｂ及び底壁面８４ａは、右側立壁面８４ｃに接触しつつ溜水部８４内に後方から流入する流れによって、便器排水路１８に汚物を押し込む誘導流Ｆｗｆを形成するように構成されている。
【００６４】
以上の水洗大便器１０の効果を説明する。
【００６５】
（Ａ）本実施形態の便鉢部１６は、便鉢部１６の右側方領域１６ｂを後方に向かう第１旋回流Ｆｗａと衝突し、その衝突した第１旋回流Ｆｗａを後方に誘導可能な誘導面９８を有する。よって、誘導面９８との衝突により第１旋回流Ｆｗａを減速させられる。これに伴い、溜水部８４に後方から流入せずに溜水部８４より後方にて汚物受け面８０を経由する水流の流量を減らし、溜水部８４の右側立壁面８４ｄｃに接触しつつ溜水部８４に後方から流入する水流の流量を増やせる。このため、便器排水路１８に汚物を押し込む誘導流Ｆｗｆの流量を増やすことができ、汚物排出能力の向上を図れる。
【００６６】
第１吐水部７８Ａが形成する第１旋回流Ｆｗａは、汚物受け面８０の前端８０ａを経由する。よって、汚物受け面８０の前端８０ａを経由する過程で第１旋回流Ｆｗａの勢いを適度に弱めてから、第１旋回流Ｆｗａを誘導面９８に衝突させられる。このため、突発的に洗浄水の流量が増えた場合でも、誘導面９８との衝突による飛沫の発生を抑え易くなる。
【００６７】
第２吐水部７８Ｂが形成する第１水流Ｆｗｂは、第１旋回流Ｆｗａと合流することによって、溜水部８４内に後方から流入する主流Ｆｗｅを形成する。よって、便器排水路１８に汚物を押し込む誘導流Ｆｗｆの流量を更に増やすことができ、汚物排出能力の更なる向上を図れる。
【００６８】
第２吐水部７８Ｂは、溜水部８４より後方にて汚物受け面８０を経由して右側方領域１６ｂを前方に向かう第２旋回流Ｆｗｃを形成する。よって、第２吐水孔９０Ｂから吐き出される洗浄水によって、第１旋回流Ｆｗａと合流する第１水流Ｆｗｂを形成しつつも、第２旋回流Ｆｗｃによって広範囲を洗浄できる。
【００６９】
なお、誘導面９８の上方にはオーバーハング部８６が設けられる（図８参照）。よって、誘導面９８との衝突により飛沫が発生したとき、便鉢部１６の外部への飛沫の飛び出しをオーバーハング部８６により抑え易くなる。
【００７０】
また、誘導面９８は、平面視において、溜水部８４と左右方向Ｙに重なる位置に設けられる。よって、便鉢部１６の内部を正面から覗き込んだとき、誘導面９８が見え難い位置に設けられることになり、良好な意匠性を得られる。
【００７１】
次に、水洗大便器１０の他の特徴を説明する。図１３は、図１の第１導水路９６Ａの拡大図である。第１導水路９６Ａは、便鉢部１６の径方向外側に延びる凹曲面状の底面９６ａと、底面９６ａの外周端９６ｂから上方に延びる凹曲面状の側面９６ｃと、側面９６ｃの上端９６ｄから径方向内側に延びる返し面９６ｅと、を有する。第１導水路９６Ａの底面９６ａは汚物受け面８０の一部が構成し、第１導水路９６Ａの側面９６ｃや返し面９６ｅはリム部８２の一部が構成する。本実施形態において、平面視での便鉢部１６の上端開口の中心１６ｃ（図８参照）を通る鉛直断面において、側面９６ｃの曲率半径は、底面９６ａの曲率半径より大きくなるように設定される。
【００７２】
返し面９６ｅは、水平に延びる平坦面９６ｆと、径方向内側に向かうにつれて上向きに延びる縁面９６ｇとを有する。ここでの「水平」とは、字句通りに水平である場合の他に、ほぼ水平である場合も含まれる。本実施形態の平坦面９６ｆは、第１導水路９６Ａの側面９６ｃの上端９６ｄに連なっており、その内周端は縁面９６ｇに連なっている。
【００７３】
以上の水洗大便器１０の効果を説明する。図１４は、第１導水路９６Ａに洗浄水Ｗａが流れている状態を示す図である。便器本体１２の第１導水路９６Ａを周方向に伝う洗浄水Ｗａには径方向外側に向かう遠心力Ｆｐが付与される。第１導水路９６Ａの底面９６ａは凹曲面状をなしている。よって、洗浄水に付与される遠心力は第１導水路９６Ａの底面９６ａにより上向きの力Ｆｑ１にスムーズに変換される。この上向きの力Ｆｑ１により、第１導水路９６Ａを周方向に伝う洗浄水は押し上げられ、第１導水路９６Ａの底面９６ａの他に側面９６ｃも伝うように流れる。
【００７４】
第１導水路９６Ａの側面９６ｃは凹曲面状をなしている。よって、前述のように第１導水路９６Ａの底面９６ａから押し上げられた洗浄水が第１導水路９６Ａの側面９６ｃを伝い始めたとき、洗浄水の上向きの力Ｆｑ１は第１導水路９６Ａの側面９６ｃによって径方向内向きの力Ｆｑ２にスムーズに変換される。この結果、導水路９６Ａ、９６Ｂを流れる洗浄水は、上向きの力Ｆｑ１を大きく失うことなく、第１導水路９６Ａの上下方向の広い範囲を伝えるようになる。
【００７５】
また、第１導水路９６Ａの返し面９６ｅは水平に延びる平坦面９６ｆを有するため、便鉢部１６の外周端１６ｄから便鉢部１６の上端部（リム部８２）の内周端１６ｅまでの距離を確保し易くなる。これに伴い、導水路９６Ａ、９６Ｂを大流量の洗浄水が流れたときに便鉢部１６の外部への飛沫の飛び出しを抑え易くなる。
【００７６】
また、第１導水路９６Ａの底面９６ａと側面９６ｃは凹曲面状であるため、両者のいずれかが平面状である場合と比べ、両者の間でつっかえずにスムーズに拭き易くなる。
【００７７】
なお、第１吐水孔９０Ａから洗浄水を吐き出したとき、汚物受け面８０の前端８０ａを経由した直後の箇所、つまり、便鉢部１６の右側方領域１６ｂの前端部１６ｂａ（図１１参照）において、第１旋回流Ｆｗａの上端の位置が最も高くなる。洗浄水供給装置７６から供給される洗浄水の流量は、この便鉢部１６の右側方領域１６ｂの前端部１６ｂａにおいて、第１導水路９６Ａの返し面９６ｅまで達しない大きさに設定される。図１４では、洗浄水の流量は、汚物受け面８０の前端８０ａで第１導水路９６Ａの返し面９６ｅまで達しない大きさに設定される例を示す。
【００７８】
次に、便器素地の成形方法を説明する。ここでの便器素地とは、陶器製の便器本体１２を得るために必要な便器本体１２の半製品であり、鋳込み成形により得られる。
【００７９】
図１５は、便器本体１２の便器素地を分解した状態を示す側面断面図である。便器本体１２の便器素地は、便器本体１２を上下に分割した形状の上面側部分１０４と便鉢側部分１０６とを備える。上面側部分１０４は、便器本体１２の上面部を含む部分である。便鉢側部分１０６は、便器本体１２の上面側部分１０４より下側の部分であり、便鉢部１６の大部分を含む部分である。
【００８０】
便器本体１２は、前述の上面側部分１０４及び便鉢側部分１０６それぞれの便器素地を鋳込み成形により成形し、これらを接着等により接合した後、焼成工程を経ることで得られる。以下、便鉢側部分１０６の便器素地を鋳込み成形により得るための成形方法を主に説明する。
【００８１】
図１６は、便鉢側部分１０６の便器素地の成形途中の状態を示す側面断面図である。便鉢側部分１０６は、複数の型１０８Ａ〜１０８Ｄを用いた鋳込み成形により得られる。複数の型１０８Ａ〜１０８Ｄは、石膏等の吸水性をもつ素材により構成される。本実施形態の型１０８Ａ〜１０８Ｄには、上側に配置される上型１０８Ａと、下側に配置される下型１０８Ｂと、左右両側に配置される横型１０８Ｃと、後側に配置される後型１０８Ｄとが含まれる。
【００８２】
各型１０８Ａ〜１０８Ｄは、便鉢側部分１０６の便器素地を成形するための成形面１１０を有する。後型１０８Ｄの成形面１１０は、便鉢側部分１０６の後方に面する部位の少なくとも一部を成形するためのものである。後型１０８Ｄの成形面１１０は、便器排水路１８の出口端部３０を形成する筒状の壁部をかたどった形状を少なくとも持つ。複数の型１０８Ａ〜１０８Ｄを型合わせしたとき、複数の型１０８Ａ〜１０８Ｄそれぞれの成形面１１０により型空間１１２が形成される。
【００８３】
便鉢側部分１０６を得るための鋳込み成形には、次の工程が含まれる。まず、複数の型１０８Ａ〜１０８Ｄを型合わせすることによって、便鉢側部分１０６の便器素地を成形するための型空間１１２を形成する工程Ｓ１を行う。次に、型空間１１２内に未硬化状態の泥しょう１１４を注入する工程Ｓ２を行う。この工程Ｓ２を得ることで、各型１０８Ａ〜１０８Ｄの表面に沿って泥しょう１１４が硬化し、その泥しょう１１４の硬化部分により便鉢側部分１０６の便器素地が成形される。次に、便鉢側部分１０６の便器素地内に残る未硬化状態の泥しょう１１４を排出する工程Ｓ３を行う。次に、各型１０８Ａ〜１０８Ｄを便器素地から脱型する工程Ｓ４を行う。
【００８４】
ここで、後型１０８Ｄは、便器排水路１８の内部空間を下流側から閉塞する閉塞部１１６を成形する。この閉塞部１１６は、便器排水路１８の出口端部３０を形成する壁部の先端面３０ａと面一に形成され、板状をなしている。便器素地の閉塞部１１６は、前述の工程Ｓ４の後、便器素地が焼成前の柔らかい状態にあるうちに、手指、工具等を用いて切除する。これにより、便器排水路１８の出口端部３０の先端開口部から奥まった箇所に閉塞部１１６を形成する場合と比べ、閉塞部１１６の切除作業が容易となる。これに伴い、閉塞部１１６の切除箇所にバリが残存する事態を避け易くなり、バリの残存に起因する便器排水路１８内での紙詰まりのリスクを避けられる。
【００８５】
以上、実施形態をもとに本発明を説明した。次に、各構成要素の変形例を説明する。
【００８６】
（第１の工夫点に関して）
便器本体１２の便器排水路１８は、第２下降流路部２８を有していなくともよい。
【００８７】
掃除口４０は、第１ガイド面５４の延び部分５４ａと前後方向Ｘに重なる位置で後方に設けられていればよい。たとえば、掃除口４０は、第２ガイド面６４の前方に設けられていてもよい。また、便器排水路１８の溢れ縁３８から第２ガイド面６４までの上下寸法Ｌｂは特に限定されない。
【００８８】
（第２の工夫点に関して）
便器本体１２は、壁掛け式である例を説明したが、床置き式でもよい。水洗大便器１０は、洗い落し式以外の他の洗浄方式を用いて洗浄してもよい。この洗浄方式とは、たとえば、サイホン式である。
【００８９】
便器本体１２は第１吐水部７８Ａのみを有し、第２吐水部７８Ｂを有していなくともよい。この場合でも、（Ａ）の効果を得られる。この場合に、（Ａ）の効果を得るうえで、第１吐水部７８Ａの第１吐水孔９０Ａは、第２吐水部７８Ｂの第２吐水孔９０Ｂが形成されていた箇所、つまり、便鉢部１６の左側方領域１６ａに形成されていてもよい。この場合、第１吐水部７８Ａは、第１吐水孔９０Ａから吐き出される洗浄水により第１旋回流Ｆｗａを形成し、その第１旋回流Ｆｗａの少なくとも一部が誘導面９８に衝突するように構成されていればよい。
【００９０】
第１吐水孔９０Ａ、第２吐水孔９０Ｂ、第１旋回流Ｆｗａ、第２旋回流Ｆｗｃ、主流Ｆｗｅ等は、実施形態での位置に対して左右で逆の位置に設けてもよい。たとえば、第１吐水部７８Ａは、便鉢部１６内に時計回り方向に向けて第１吐水孔９０Ａから洗浄水を吐き出すことによって第１旋回流Ｆｗａを形成してもよい。この場合、第１吐水部７８Ａは、第１吐水孔９０Ａから洗浄水を吐き出すことによって、便鉢部１６の左右一方側となる右側方領域１６ｂを後方に向かう第１旋回流Ｆｗａを形成すればよい。この場合、溜水部８４は、溜水部８４の左右他方側となる左側立壁面８４ｂに接触しつつ溜水部８４に後方から流入する水流によって誘導流Ｆｗｆを形成するように構成されていればよい。この場合、誘導面９８は、便鉢部１６の左右一方側となる右側方領域１６ｂに形成されていればよい。
【００９１】
誘導面９８は、平面視において、平坦面の代わりに、便鉢部１６の隣接部分１００がなす凹曲面より曲率半径の小さい凹曲面が構成してもよい。これによっても、誘導面９８は第１旋回流Ｆｗａが衝突可能に設けられる。
【００９２】
第２吐水部７８Ｂは、第２吐水孔９０Ｂから吐き出される洗浄水によって、第１水流Ｆｗｂのみを形成し、第２旋回流Ｆｗｃを形成しなくともよい。
【００９３】
導水路９６Ａ、９６Ｂの形状は特に限定されるものではない。たとえば、導水路９６Ａ、９６Ｂの底面９６ａや側面９６ｃは凹曲面状をなしていなくともよいし、導水路９６Ａ、９６Ｂは返し面９６ｅを有していなくともよい。
【００９４】
以上、本発明の実施形態や変形例について詳細に説明した。前述した実施形態や変形例は、いずれも本発明を実施するにあたっての具体例を示したものにすぎない。実施形態や変形例の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して強調しているが、そのような表記のない内容でも設計変更が許容される。以上の構成要素の任意の組み合わせも、本発明の態様として有効である。図面の断面に付したハッチングは、ハッチングを付した対象の材質を限定するものではない。
【００９５】
以上の実施形態、変形例により具体化される発明を一般化すると、以下の技術的思想が導かれる。以下、発明が解決しようとする課題に記載の態様を用いて説明する。
【００９６】
第２態様の水洗大便器は、第１態様において、前記第１側方領域の後部に形成される第２吐水孔を有し、前記便鉢部内に前記周方向の一方側に向けて前記第２吐水孔から洗浄水を吐き出す第２吐水部を備え、前記第２吐水部は、前記第２吐水孔から吐き出された洗浄水によって、前記誘導面により誘導された前記第１旋回流と合流する第１水流を形成し、前記第１水流は、前記第１旋回流と合流することによって、前記溜水部内に後方から流入する主流を形成してもよい。
この態様によれば、便器排水路に汚物を押し込む誘導流の流量を更に増やすことができ、汚物排出能力の更なる向上を図れる。
【００９７】
第３態様の水洗大便器は、第２態様において、前記第２吐水部は、前記第２吐水孔から吐き出された洗浄水によって、前記溜水部より後方にて前記汚物受け面を経由して前記便鉢部の左右他方側の第２側方領域を前方に向かう第２旋回流を形成してもよい。
この態様によれば、第２吐水部から吐き出される洗浄水によって、第１旋回流と合流する第１水流を形成しつつも、第２旋回流によって広範囲を洗浄できる。
【００９８】
第４態様の水洗大便器は、第１から第３態様のいずれかにおいて、前記便鉢部は、前記第１吐水孔から吐き出された洗浄水を旋回させるように導くための導水路を有し、前記導水路は、前記便鉢部の径方向外側に延びる凹曲面状の底面と、前記底面の外周端から上方に延びる凹曲面状の側面と、前記側面の上端から前記径方向内側に延びる返し面と、を有し、前記返し面は、水平に延びる平坦面を有してもよい。
この態様によれば、導水路を流れる洗浄水が、上向きの力を大きく失うことなく、導水路の上下方向の広い範囲を伝えるようになる。
【００９９】
以上の実施形態、変形例により具体化される発明を一般化すると、以下の項目に記載の発明が含まれているともいえる。
【０１００】
（第１項目）
上面側部分と、前記上面側部分より下側の便鉢側部分とを接合して構成される便器本体における前記便鉢側部分の便器素地の成形方法であって、
前記便器本体は、便鉢部と、前記便鉢部の底部に接続される便器排水路と、を備え、
前記便器排水路の出口端部は、前記便器本体の後面部に後方に突き出るように設けられ、
複数の型を型合わせすることによって、前記便器素地を成形するための型空間を形成する工程を含み、
前記複数の型には、前記便器本体の後方に面する部位を成形する後型が含まれ、
前記後型は、前記便器排水路の内部空間を下流側から閉塞する閉塞部を成形し、
前記閉塞部は、前記出口端部を形成する壁部の先端面と面一に形成される便器素地の製造方法。
【符号の説明】
【０１０１】
１０…水洗大便器、１２…便器本体、１６…便鉢部、１６ａ…左側方領域（第１側方領域）、１８…便器排水路、７８Ａ…第１吐水部、７８Ｂ…第２吐水部、８０…汚物受け面、８０ａ…前端、８４…溜水部、８４ｂ…立壁面、９０Ａ…第１吐水孔、９０Ｂ…第２吐水孔、９６Ａ…導水路、９６ａ…底面、９６ｃ…側面、９６ｅ…返し面、９６ｆ…平坦面、９８…誘導面。
【図１】
2019190219.tif 000003
【図２】
2019190219.tif 000004
【図３】
2019190219.tif 000005
【図４】
2019190219.tif 000006
【図５】
2019190219.tif 000007
【図６】
2019190219.tif 000008
【図７】
2019190219.tif 000009
【図８】
2019190219.tif 000010
【図９】
2019190219.tif 000011
【図１０】
2019190219.tif 000012
【図１１】
2019190219.tif 000013
【図１２】
2019190219.tif 000014
【図１３】
2019190219.tif 000015
【図１４】
2019190219.tif 000016
【図１５】
2019190219.tif 000017
【図１６】
2019190219.tif 000018